(57)【要約】【課題】発光体からの光で踏み面を照らして夜間の昇降の安全性を高めると共に、階段の場所を表すように発光する階段用照明装置を提供する。【解決手段】太陽電池と、この太陽電池が生起する電力によって発光する発光体とを本体に内装させ、この発光体の光により、前記本体の側方へ光を放射させて階段の踏み面を照らす側方発光部と、前記本体の前方へ光を放射させる前方発光部とを備えさせる。前記側方発光部を備えるので、夜間において階段の踏み面が照明されて安全に昇降できるようになされる。また、前記前方発光部を備えるので、階段の前方側において、遠く離れた場所からでもからこの前方発光部からの光を視認できるようになされ、階段の場所が認識できるようになされる。【選択図】        図６
2014010926.tif 000002
【特許請求の範囲】
【請求項１】
太陽電池と、該太陽電池が生起する電力によって夜間に発光する発光体とが本体に内装され、前記発光体からの光が前記本体の外方へ放射される発光部を備える階段用照明装置であって、
前記発光部は、前記本体の側方へ光を放射させて階段の踏み面を照らすようになされた側方発光部と、前記本体の前方へ光を放射させる前方発光部とを備えることを特徴とする階段用照明装置。
【請求項２】
前記側方発光部は、該側方発光部の下縁を形成する下側壁面の先端が、上縁を形成する上側壁面の先端よりも外側へ突出する形状に形成されて、前記側方発光部に設けられた発光体の光の一部が、前記下側壁面で反射して、前記側方発光部から上方に向けても放射されるようになされたことを特徴とする請求項１に記載の階段用照明装置。
【請求項３】
前記前方発光部は、該前方発光部の下縁を形成する下側壁面の先端が、上縁を形成する上側壁面の先端に対して、前記側方発光部と比較して小さく突出する形状で形成され、又は垂直な形状に形成されていることを特徴とする請求項２に記載の階段用照明装置。
【請求項４】
前記側方発光部が矩形形状に形成され、前記前方発光部が円形形状に形成されていることを特徴とする請求項１〜３のいずれかに記載の階段用照明装置。
【発明の詳細な説明】
【技術分野】
【０００１】
本発明は、屋外の階段に設置して、夜間の昇降の安全性を高める階段用照明装置に関するものである。
【背景技術】
【０００２】
階段の昇降において、夜間に踏み面を踏み外さないように照明するための階段用照明装置については、種々の発明が開示されている。
【０００３】
例えば、特許文献１には、階段の踏段に取り付けられる階段照明ユニットであって、太陽電池と、太陽電池による発生電力を蓄電する蓄電手段と、蓄電手段を電源とした光源と、ケース体とを有しており、太陽電池はケース体の上面部に備えられ、蓄電手段はケース体に内臓され、光源はその光をケース体の前面部から外方に照射するようにケース体に備えられており、ケース体が踏段の先端部分に埋設されて、光源からの光が下段を照らすようになっていることを特徴とする階段照明ユニット、が開示されている。
【先行技術文献】
【特許文献】
【０００４】
【特許文献１】特開２０００−２４３１３０号公報
【発明の概要】
【発明が解決しようとする課題】
【０００５】
しかしながら、特許文献１の如き階段照明ユニットは、ケース体が踏段の先端部分に埋設され、光源からの光が設置された踏段の下段を照らすようになされているので、階段から遠い場所からはその光が視認されにくいという問題点があった。
【０００６】
本発明は、発光体からの光で踏み面を照らして夜間の昇降の安全性を高めると共に、階段の場所を表すように発光する階段用照明装置を提供するものである。
【課題を解決するための手段】
【０００７】
上記目的を達成するため、本発明は以下のような構成としている。
すなわち本発明に係る階段用照明装置は、太陽電池と、該太陽電池が生起する電力によって発光する発光体とが本体に内装され、前記発光体からの光が前記本体の外方へ放射される発光部を備える階段用照明装置であって、
前記発光部は、前記本体の側方へ光を放射させて階段の踏み面を照らすようになされた側方発光部と、前記本体の前方へ光を放射させる前方発光部とを備えることを特徴としている。
【０００８】
本発明に係る階段用照明装置によれば、太陽電池と、この太陽電池が生起する電力によって夜間に発光する発光体とを本体に内装させ、前記発光体からの光を前記本体の外方へ放射させる発光部を備え、前記本体の側方へ光を放射させて階段の踏み面を照らす側方発光部を備えるので、夜間において階段の踏み面が照明されて安全に昇降できるようになされる。また、前記本体の前方へ光を放射させる前方発光部を備えるので、階段の前方側において、遠く離れた場所からでもからこの前方発光部からの光を視認できるようになされ、階段の場所が認識できるようになされる。
【０００９】
また、前記側方発光部の下縁を形成する下側壁面の先端を、上縁を形成する上側壁面の先端よりも外側へ突出する形状に形成させて、前記側方発光部に設けた発光体の光の一部を、前記下側壁面で反射させて、前記側方発光部から上方に向けても放射させるようにすれば、この側方発光部からの光を上方から視認しやすくなされるので、階段を昇降する歩行者がこの側方発光部からの光を直接視認して階段の踏み面を認識できるようになされ、より安全に昇降できるようになされるので、好ましい。
【００１０】
また、前記前方発光部の下縁を形成する下側壁面の先端を、上縁を形成する上側壁面の先端に対して、前記側方発光部と比較して小さく突出する形状で形成させ、又は垂直な形状に形成させれば、前記側方発光部からの光と比較して前方発光部からの光が上方から視認されにくくなされるので、階段を昇降する歩行者がこの前方発光部からの光を直接視認して階段の踏み面を誤認するような問題が抑制され、より安全に昇降できるようになされるので、好ましい。
【００１１】
また、前記側方発光部を矩形形状に形成させれば、側方発光部からの光を上方から視認しやすくなされるので、階段を昇降する歩行者がこの側方発光部からの光を直接視認して階段の踏み面を認識できるようになされ、より安全に昇降できるようになされるので、好ましい。また、前記前方発光部を円形形状に形成させれば、遠く離れた場所からでもからこの前方発光部からの光を視認できるようになされるので、好ましい。
【発明の効果】
【００１２】
本発明に係る階段用照明装置によれば、夜間の昇降の安全性が高められると共に、遠く離れた場所からでも階段の場所を視認できる。
【図面の簡単な説明】
【００１３】
【図１】本発明に係る階段用照明装置の実施の一形態を示す、（イ）は平面図であり、（ロ）は正面図である。
【図２】図１の側面図である。
【図３】図１の階段用照明装置の斜視図である。
【図４】図１のＡ−Ａ断面図である。
【図５】図１のＢ−Ｂ断面図である。
【図６】図１の階段用照明装置を階段に設置させた状況を示す図である。
【発明を実施するための形態】
【００１４】
本発明の実施の形態を図面に基づき具体的に説明する。
図面において、１は階段用照明装置である。
本実施形態の階段用照明装置１は、上方及び下方に開口する箱状に形成された本体１１と、この本体１１の前記下方の開口を塞ぐように下方に取り付けられた底板４とを備える、略矩形の中空箱形状に設けられている。
前記本体１１は、平坦な矩形の上面１２と、この上面１２から延設される前面１３、後面１４と、左右両側の側面を備え、この各側面は下方に至るほど外側へ突出する傾斜面１５にそれぞれ形成されている。
本実施形態の本体１１はアルミニウム鋳物で形成され、底板４はステンレス板で形成されている。
【００１５】
箱状の本体１１の内側には、太陽電池５５と、この太陽電池５５が生起する電力を蓄える蓄電池５４と、この蓄電池から供給される電力によって前方へ向けて発光する前部発光体５１と、右側方へ向けて発光する側部発光体５２がそれぞれ内装されている。
前記太陽電池５５は受光面を上方へ向けて取り付けられており、本体１１の上面１２には前記太陽電池５５に入射する太陽光の通路１２ａが矩形形状に穿設されている。
【００１６】
本実施形態の前部発光体５１は、その発する光の光軸を前方へ向けて２個取り付けられており、本体１１の前面１３には、前記前部発光体５１の発する光を通過させて外部へ放射させる丸穴形状の前方発光孔が２個穿設されている。そして前記前方発光孔が後述する透光ケース２に塞がれて前方発光部１３ａが設けられている。
【００１７】
本実施形態の側部発光体５２は、その発する光の光軸を右側方へ向けて２個取り付けられており、本体１１の右側の傾斜面１５には前記側部発光体５２の発する光を通過させて外部へ放射させる矩形形状の側方発光孔が１個穿設されている。そして前記側方発光孔が後述する透光ケース２に塞がれて側方発光部１５ａが設けられている。
【００１８】
図４は図１のＡ−Ａ断面図であり、図５は図１のＢ−Ｂ断面図である。
前記本体１１の内側には、透光ケース２が１個内装されている。具体的には、透光ケース２は下方に開口する箱形状に形成されて、図４に示すように、透光ケース２の上面を構成する天板２２が前記本体１１に穿設された通路１２ａを塞ぐように取り付けられており、図５に示すように透光ケース２の右側面を構成する傾斜面状の傾斜壁２５が前記本体１１に穿設された前記側方発光孔を塞ぎ側方発光部１５ａを形成するように取り付けられている。
また、前記透光ケース２は、その下方の開口が底板４に塞がれるように取り付けられて中空箱形状となされており、前記前部発光体５１、側部発光体５２や太陽電池５５は、この透光ケース２の中空部分に内装されている。
前記底板４に開口を塞がれた透光ケース２の中空部分は外気から隔てられた水密状に設けられており、階段用照明装置１を屋外に設置したときに、前部発光体５１、側部発光体５２や、蓄電池５４、太陽電池５５などが雨水や外部からのごみなどによって劣化や損傷などしないようになされている。
【００１９】
前記太陽電池５５、蓄電池５４、及び前部発光体５１、側部発光体５２は、それぞれ基板５３を介して電気的に接続されており、太陽電池５５が日中に太陽光を受けて生起させた電力が蓄電池５４に蓄えられ、夜間にこの蓄電池５４の電力が前部発光体５１、側部発光体５２へそれぞれ供給されて発光させるようになされている。
【００２０】
本実施形態の各前部発光体５１は、砲弾型の発光ダイオードであり、その光軸を前方へ向けて基板５３に取り付けられている。各前部発光体５１から発せられる光Ｌ１は、透光ケース２の前壁２３を透過し、前方発光部１３ａから前方へ放射されるようになされている。
本実施形態の透光ケース２は、前記前壁２３が各前部発光体５１の光軸に対して垂直に設けられて透過する光Ｌ１の減衰を抑制させており、光Ｌ１が効率良く透過されて前方発光部１３ａから放射されるようになされている。
【００２１】
本実施形態の各側部発光体５２は、砲弾型の発光ダイオードであり、その光軸を右側方へ向けて基板５３に取り付けられている。各側部発光体５２から発せられる光Ｌ２は、透光ケース２の右側方の傾斜壁２５を透過し、側方発光部１５ａから右側方へ放射されるようになされている。
【００２２】
前記側方発光部１５ａは、面方向を斜め上方へ向けた傾斜面１５に穴状に穿設された側方発光孔へ透光ケース２が取り付けられて設けられており、前記側方発光部１５ａはその下端が上端より外側側方へ突出する形状に形成されている。このため、階段用照明装置１を上方から目視したときに、前記側方発光部１５ａから放射される光Ｌ２が良好に視認できるようになされている。また、前記底板４は表面が鏡面状に設けられたステンレス板で形成されており、前記各側部発光体５２から発せられた光Ｌ２の一部が、反射面４ａとなされた前記底板４の上面へ照射されて鏡面状に反射され、この反射光Ｈ２が右側斜め上方向へ放射されるようになされている。このため、階段用照明装置１の上方からは、前記光Ｌ２と共に反射面４ａに反射された反射光Ｈ２が視認されて、側方発光部１５ａからの光が良好に認識できるようになされている。
【００２３】
図６は図１の階段用照明装置１を階段に設置させた状況を示す図である。
図６は、屋外の階段７へ設置させた階段用照明装置１を前方斜め上方側から目視した状況である。具体的には後方から前方へ向けて降るように設けられた階段７の踏み面７１へ階段用照明装置１の下面を当接させて、接着固定させている。詳細には、本実施形態の階段用照明装置１は、踏み面７１の左側端付近の前縁付近に配置され、前記前方発光部１３ａが形成された前面１３を階段７の降り方向である前方へ向けて、設置されている。
本実施形態の階段用照明装置１は、階段７の踏み面７１へ接着固定されるので、あらかじめ階段７へ設置のための加工を行うことなく、容易に階段用照明装置１を設置させることができる。
【００２４】
前記階段用照明装置１の側方発光部１５ａから放射された光Ｌ２は、この階段用照明装置１が設置された踏み面７１を照らして踏み面７１の形状と位置とを良好に認識させ、夜間に階段７を昇降する歩行者が踏み面７１を踏み外して転落するなどの事故を抑制させる。
また、側方発光部１５ａを傾斜面１５に設けることで、側方発光部１５ａからの光Ｌ２を上方から良好に視認できるので、夜間に階段７を昇降する歩行者が光Ｌ２を発する側方発光部１５ａを視認して、踏み面７１の位置を良好に認識させて、転落事故などを抑制させる。
【００２５】
前記階段用照明装置１の前方発光部１３ａから放射された光Ｌ１は、設置された階段７の下り方向である前方へ向けて放射され、階段７から遠く離れた位置から良好に視認できるようになされる。
このため、津波などの災害が生じ、高台へ避難するために階段７へ向かうような状況において、階段７の位置を光Ｌ１を視認して遠くから認識できるようになされることで、より速やかな避難活動を行うことができる。
また、前記各前部発光体５１から前方へ向けて発せられる光Ｌ１の一部は、前方発光部１３ａの上側の内側面に反射されて、前側斜め下方向へ放射されるようになされる。このため、階段用照明装置１から発せられる光Ｌ１が、階段７の昇り口付近からも視認できるようになされ、階段７を昇ろうとする人がより正確に階段７の踏み面７１の位置を把握することができる。
【００２６】
また、本実施形態の階段用照明装置１は、階段７の踏み面７１の前縁付近に配置されるので、前方発光部１３ａの前方の踏み面７１にゴミや石などが乗って、前方へ放射させる光Ｌ１を遮る障害物となるような問題が生じにくくなされる。
【００２７】
本実施形態の階段用照明装置１は、前部発光体５１と側部発光体５２とに、それぞれ砲弾型の発光ダイオードを用いているが、これに限るものではない。例えば、砲弾型の発光ダイオードよりも放射光の配光角度が大きなチップ型の発光ダイオードや、他の形態の発光ダイオードを用いても良く、発光ダイオード以外の電球などの発光体を用いても良い。また、前方発光部１３ａより光Ｌ１を放射させる前部発光体５１は、遠く離れた場所から光Ｌ１を目視可能に設けることが望ましいので、砲弾型の発光ダイオードの利用が好ましい。
また、側方発光部１５ａより光Ｌ２を放射させる側部発光体５２は、光Ｌ２で階段７の踏み面７１を照らすと共に、階段用照明装置１の上方からも光Ｌ２を目視可能に設けることが好ましいので、より放射光の配光角度が大きなチップ型の発光ダイオードを好適に用いることができる。
【００２８】
また、本実施形態の階段用照明装置１は、右側の傾斜面１５にのみ側方発光部１５ａを形成させているが、これに限るものではない。例えば、側方発光部１５ａを左側の傾斜面１５にのみ設けて、階段用照明装置１を階段７の踏み面７１の右側側端付近に設置させるように設けても良く、側方発光部１５ａを左右両側の傾斜面１５にそれぞれ設けて、階段用照明装置１を階段７の踏み面７１の左右方向中程に設置させるように設けてもよい。
【００２９】
本実施形態の階段用照明装置１は、本体１１が、傾斜面１５となされた左右両側の側面と、前面１３と後面１４とを備える略四角錐台形状に形成されている。
階段７の踏み面７１を照らす前記側方発光部１５ａは、前記傾斜面１５へ矩形形状に設けられて、その下端が上端より外側側方へ突出する形状に形成されており、放射させる光Ｌ２を上方から良好に視認できると共に、反射面４ａに反射された反射光Ｈ２を上方から良好に視認できるようにように設けられている。
【００３０】
前記本体１１の前面１３及び後面１４は、具体的には、下部が階段７の踏み面７１に対して垂直に設けられ、上部が上方に至るほど内側へ向かう傾斜面状に形成されており、詳細には、傾斜面状に形成された前面１３、及び後面１４の上部は、前記傾斜面１５より垂直に近い傾斜に形成されている。
そして、前記前面１３に設けられた前記前方発光部１３ａは、具体的には、その下端が上端より若干前方側へ突出する形状に形成されており、詳細には、上端より前方へ突出する下端の突出の大きさが、上端より側方へ下端が突出する前記側方発光部１５ａの突出の大きさと比較してより小さく突出する形状に形成されている。
このため、前記側方発光部１５ａから放射される光Ｌ２と比較して、前記前方発光部１３ａから放射される光Ｌ１が、上方から視認されにくくなされるように設けられている。
【００３１】
また、本実施形態の階段用照明装置１において、前部発光体５１から発せられる光の一部は、前記前方発光部１３ａの下方の内側面に反射されて上方へ向けて放射されるようになされる。しかし、この光を反射させる前方発光部１３ａの下方の内側面が、前記側方発光部１５ａから上方へ向けて放射される反射光Ｈ２を反射させる反射面４ａより小さく設けられているので、上方から階段用照明装置１を目視したときに、前記前方発光部１３ａから放射される光が、前記側方発光部１５ａから放射される光よりも弱く視認されるように設けられている。
【００３２】
このように、上方から目視したときに、前方発光部１３ａから放射される光が、側方発光部１５ａから放射される光より視認されにくくなされるように設けることで、階段７を昇降する歩行者が前方発光部１３ａの前方側、即ち階段７の踏み面７１の無い場所へ足を運ぶことを抑制させ、より確実に側方発光部１５ａの側方側、即ち光Ｌ２に照らされた踏み面７１へ足を着地させるようになされて、前記歩行者の昇降の安全性を高める。
【００３３】
また、本実施形態の階段用照明装置１は、側方発光部１５ａから光を放射させる各側部発光体５２をそれぞれ右側方の同じ方向へ光軸を向けているが、これに限るものではない。例えば、一部の側部発光体５２の光軸を若干下方へ向けて階段７の踏み面７１をより効率良く照らすように設けてもよく、また一部の側部発光体５２の光軸を若干上方へ向けて階段７を昇降する人が光Ｌ２をより視認しやすくなされるように設けても良い。
【符号の説明】
【００３４】
１    階段用照明装置
１１  本体
１２  上面
１３  前面
１３ａ  前方発光部
１４  後面
１５  傾斜面
１５ａ  側方発光部
２    透光ケース
２２  天板
２３  前壁
２５  傾斜壁
４    底板
４ａ  反射面
５１  前部発光体
５２  側部発光体
５３  基板
５４  蓄電池
５５  太陽電池
【図１】
2014010926.tif 000003
【図２】
2014010926.tif 000004
【図３】
2014010926.tif 000005
【図４】
2014010926.tif 000006
【図５】
2014010926.tif 000007
【図６】
2014010926.tif 000008